(57)【要約】【課題】  注入された樹脂によるワイヤ流れやワイヤショートを防止可能な半導体装置の製造方法を提供する。【解決手段】本発明の半導体装置の製造方法では、半導体チップ１０９を配線基板１００上に搭載し、配線基板１００と半導体チップ１０９とを、第１のワイヤ群１２０と、前記第１のワイヤ群よりもワイヤ長が短い第２のワイヤ群１１８とを張設して接続し、第１のワイヤ群１２０から第２のワイヤ群１１８に向けて封止樹脂３０７を注入して半導体チップ１０９、第１のワイヤ群１２０、第２のワイヤ群１１８を覆う封止体４０１を形成する。【選択図】      図１
2011228603.tif 000002
【特許請求の範囲】
【請求項１】
（ａ）少なくとも１つの半導体チップを有する半導体チップ群を配線基板上に搭載し、
（ｂ）前記配線基板と、前記半導体チップ群とを、第１のワイヤ群と、前記第１のワイヤ群よりもワイヤ長が短い第２のワイヤ群とを張設して接続し、
（ｃ）前記第１のワイヤ群から前記第２のワイヤ群に向けて封止樹脂を注入して前記第１の半導体チップ、前記第１のワイヤ群、前記第２のワイヤ群を覆う封止体を形成する、半導体装置の製造方法。
【請求項２】
前記半導体チップは、平面形状が、互いに対向する第１の辺と第２の辺を有する多角形状であり、
前記（ｂ）は、前記第１の辺を跨ぐように前記第１のワイヤ群を張設し、前記第２の辺を跨ぐように前記第２のワイヤ群を張設する、請求項１に記載の半導体装置の製造方法。
【請求項３】
前記配線基板は、平面形状が、互いに対向する第３の辺と第４の辺を有する多角形状であり、
前記（ａ）は前記第１の辺と前記第２の辺が、それぞれ前記第３の辺と第４の辺と対応するように前記半導体チップを前記配線基板上に搭載する、請求項２記載の半導体装置の製造方法。
【請求項４】
前記（ａ）は、前記第１の辺と前記第３の辺の最短距離よりも、前記第２の辺と前記第４の辺の最短距離が短くなるような位置に前記半導体チップを搭載する、請求項３に記載の半導体装置の製造方法。
【請求項５】
前記（ｂ）は、
前記第１のワイヤ群を構成するワイヤの間隔よりも、前記第２のワイヤ群を構成するワイヤの間隔が広くなるように前記第１のワイヤ群および前記第２のワイヤ群を張設する、請求項１〜４のいずれか一項に記載の半導体装置の製造方法。
【請求項６】
前記（ｂ）は、
前記第２のワイヤ群を構成するワイヤとして、前記第１のワイヤ群を構成するワイヤよりも線径が大きいワイヤを用いて前記第２のワイヤ群を張設する、請求項１〜５のいずれか一項に記載の半導体装置の製造方法。
【請求項７】
前記（ａ）は、
複数の前記半導体チップを前記半導体チップ群として前記配線基板上に積層する、請求項１〜６のいずれか一項に記載の半導体装置の製造方法。
【請求項８】
前記（ａ）は、
複数の前記半導体チップのうち、１つの半導体チップに前記第１のワイヤ群を張設し、他の半導体チップに前記第２のワイヤ群を張設する、請求項７に記載の半導体装置の製造方法。
【請求項９】
前記半導体チップは、平面形状が多角形状であり、
前記（ｂ）は、
複数の前記半導体チップのうち、１つの半導体チップの１つの辺のみに前記第１のワイヤ群を張設する、請求項８に記載の半導体装置の製造方法。
【請求項１０】
（ｄ）前記配線基板の、前記半導体チップ群が設けられた面の反対側の面に外部電極を設ける、請求項１〜９のいずれか一項に記載の半導体装置の製造方法。
【請求項１１】
配線基板と、
前記配線基板上に搭載され、少なくとも１つの半導体チップを有する半導体チップ群と、
前記配線基板と半導体チップ群とを接続するように張設された第１のワイヤ群と、第２のワイヤ群と、
前記半導体チップ群、前記第１のワイヤ群、前記第２のワイヤ群を覆う封止体と、
を有し、
前記第２のワイヤ群は前記第１のワイヤ群よりもワイヤ長が短い、半導体装置。
【請求項１２】
前記半導体チップは、平面形状が、互いに対向する第１の辺と第２の辺を有する多角形状であり、
前記第１のワイヤ群は、前記第１の辺を跨ぐように張設されており、前記第２のワイヤ群は、前記第２の辺を跨ぐように張設されている、請求項１１記載の半導体装置。
【請求項１３】
前記配線基板は、平面形状が、互いに対向する第３の辺と第４の辺を有する多角形状であり、
前記半導体チップは、前記第１の辺と前記第２の辺が、それぞれ前記第３の辺と第４の辺と対応するように前記配線基板上に搭載されている、請求項１２記載の半導体装置。
【請求項１４】
前記第１の半導体チップは、前記第１の辺と前記第３の辺の最短距離よりも、前記第２の辺と前記第４の辺の最短距離が短くなるような位置に搭載されている、請求項１３に記載の半導体装置。
【請求項１５】
前記第１のワイヤ群を構成するワイヤの間隔は、前記第２のワイヤ群を構成するワイヤの間隔よりも広い、請求項１１〜１４のいずれか一項に記載の半導体装置。
【請求項１６】
前記第２のワイヤ群を構成するワイヤは、前記第１のワイヤ群を構成するワイヤよりも線径が大きい、請求項１１〜１５のいずれか一項に記載の半導体装置。
【請求項１７】
前記半導体チップ群は、複数の前記半導体チップが積層されてなる、請求項１１〜１６のいずれか一項に記載の半導体装置。
【請求項１８】
前記第１のワイヤ群は、複数の前記半導体チップのうち、１つの半導体チップに張設され、
前記第２のワイヤ群は、複数の前記半導体チップのうち、他の半導体チップにを張設されている、請求項１７に記載の半導体装置。
【請求項１９】
前記半導体チップは、平面形状が多角形状であり、
前記第１のワイヤ群は、複数の前記半導体チップのうち、１つの半導体チップの１つの辺のみに張設されている、請求項１８に記載の半導体装置。
【請求項２０】
前記配線基板の、前記半導体チップ群が設けられた面の反対側の面に設けられた外部電極を有する、請求項１１〜１９のいずれか一項に記載の半導体装置。
【発明の詳細な説明】
【技術分野】
【０００１】
本発明は、半導体装置の製造方法および半導体装置に関する。
【背景技術】
【０００２】
従来、ＢＧＡ（Ball Grid Array）型の半導体装置の製造方法としては、複数の製品形成部を有する配線基板を準備し、製品形成部のそれぞれに半導体チップを搭載し、配線基板上の複数の製品形成部を一体的に覆う封止体を形成し、配線基板を個々の製品形成部毎に分割するＭＡＰ（Mold Array Process）方式が用いられていた（特許文献１、特許文献２）。
【先行技術文献】
【特許文献】
【０００３】
【特許文献１】特開２００１−４４２２９号公報
【特許文献２】特開２００１−４４３２４号公報
【発明の概要】
【発明が解決しようとする課題】
【０００４】
しかしながら、ＭＡＰ方式の半導体装置の製造方法では、ゲートから半導体チップの一辺に垂直な方向で封止樹脂を注入するため、半導体チップを構成する辺のうち、樹脂を注入する側の一辺と対向する他辺側（エアベント側）で巻き込みが発生し、樹脂を注入する辺側よりも他辺側が樹脂の流速が早くなる。
【０００５】
そのため、他辺側に張設されているワイヤが、注入された樹脂の押圧によりワイヤ流れを生じたり、或いはワイヤ同士が接触してショートしたりする恐れがあった。
【０００６】
本発明は、このような問題に鑑みてなされたもので、その目的は、注入された樹脂によるワイヤ流れやワイヤショートを防止可能な半導体装置の製造方法を提供することにある。
【課題を解決するための手段】
【０００７】
前述した目的を達成するために、本発明の第１の態様は、（ａ）少なくとも１つの半導体チップを有する半導体チップ群を配線基板上に搭載し、（ｂ）前記配線基板と、前記半導体チップ群とを、第１のワイヤ群と、前記第１のワイヤ群よりもワイヤ長が短い第２のワイヤ群とを張設して接続し、（ｃ）前記第１のワイヤ群から前記第２のワイヤ群に向けて封止樹脂を注入して前記第１の半導体チップ、前記第１のワイヤ群、前記第２のワイヤ群を覆う封止体を形成する、半導体装置の製造方法である。
【０００８】
本発明の第２の態様は、配線基板と、前記配線基板上に搭載され、少なくとも１つの半導体チップを有する半導体チップ群と、前記配線基板と半導体チップ群とを接続するように張設された第１のワイヤ群と、第２のワイヤ群と、前記半導体チップ群、前記第１のワイヤ群、前記第２のワイヤ群を覆う封止体と、を有し、前記第２のワイヤ群は前記第１のワイヤ群よりもワイヤ長が短い、半導体装置である。
【発明の効果】
【０００９】
本発明によれば、注入された樹脂によるワイヤ流れやワイヤショートを防止可能な半導体装置の製造方法を提供することができる。
【図面の簡単な説明】
【００１０】
【図１】第１の実施形態に係る半導体装置を示す平面図（上面図）であって、封止体は透明に表している。
【図２】図１の２−２断面図である。
【図３】第１の実施形態の半導体装置の製造に用いる配線基板の概略構成を示す図である。
【図４】図３の４−４断面図である。
【図５】ワイヤボンディングの手順を説明するための平面図である。
【図６】図５の６−６断面図である。
【図７】第１の実施形態に係る半導体装置の封止に用いる成型装置（トランスファモールド装置）の概略構成を示す断面図である。
【図８】封止の手順を説明するための断面図である。
【図９】封止の手順を説明するための断面図である。
【図１０】第１の実施形態の中間構造体を示す平面図である。
【図１１】図１０の１１−１１断面図である。
【図１２】ボールマウントの手順を説明するための平面図である。
【図１３】図１２の１３−１３断面図である。
【図１４】基板ダイシングの手順を説明するための平面図である。
【図１５】図１４の１５−１５断面図である。
【図１６】第２の実施形態に係る半導体装置を示す平面図（上面図）であって、封止体は透明に表している。
【図１７】図１６の１７−１７断面図である。
【図１８】第３の実施形態に係る半導体装置を示す平面図（上面図）であって、封止体は透明に表している。
【図１９】図１８の１９−１９断面図である。
【図２０】第４の実施形態に係る半導体装置を示す平面図（上面図）であって、封止体は透明に表している。
【図２１】図２０の２１−２１断面図である。
【発明を実施するための形態】
【００１１】
以下、図面に基づいて本発明に好適な実施形態を詳細に説明する。
【００１２】
まず、図１および図２を参照して、本発明の第１の実施形態に係る半導体装置７００の概略構成を説明する。
【００１３】
図１および図２に示すように、半導体装置７００は、平面形状が多角形（ここでは四角形）の板状の配線基板１００と、配線基板１００の一方の面に接着剤あるいはＤＡＦ（Die Attached Film）等の接着部７０１を介して搭載された多角形（ここでは四角形）の半導体チップ１０９とを有している。
【００１４】
半導体チップ１０９は、シリコンやゲルマニウムなどの材料からなる基板の一面に、例えばマイクロプロセッサ等のような論理回路またはＳＲＡＭ（Static Random Access Memory）やＤＲＡＭ（Dynamic Random Access Memory）等のような記憶回路等を備えており、表面（接着面と反対側の面）には、電極パッド１１２を有している。
【００１５】
なお、電極パッド１１２を除く、半導体チップ１０９の表面には図示しないパッシベーション膜が形成され、回路形成面を保護している。
【００１６】
また、図１では半導体チップ１０９は１つのチップのみが配線基板１００に搭載され、単体で半導体チップ群８００を構成しているが、半導体チップ群８００は後述するように複数のチップを有する構造でもよい。
【００１７】
配線基板１００は、半導体チップ１０９が設けられた面側に設けられた接続パッド１０３、他の面側に設けられたランド１０４、および、接続パッド１０３とランド１０４を接続する内部配線１０５を有している。 
配線基板１００は、例えばガラスエポキシ基材で構成されている。
【００１８】
ランド１０４上には半導体装置７００を他の装置と接続するための半田ボール５００が外部端子（バンプ電極）として設けられており、接続パッド１０３と電極パッド１１２はワイヤ１１０によって電気的に接続されている。
【００１９】
即ち、半導体チップ１０９は、電極パッド１１２、ワイヤ１１０、接続パッド１０３、内部配線１０５、ランド１０４を介して半田ボール５００と接続されている。
【００２０】
なお、配線基板１００の表面には図示しない配線パターンが形成され、接続パッド１０３、ランド１０４が設けられた領域以外の領域はソルダーレジスト等の図示しない絶縁膜で覆われている。
【００２１】
さらに、半導体装置７００は、少なくとも半導体チップ１０９、接続パッド１０３、電極パッド１１２、ワイヤ１１０を覆うように封止体４０１が設けられている。
【００２２】
封止体４０１は例えばエポキシ樹脂等の絶縁性の熱硬化樹脂であり、半導体チップ１０９や、電気的接続部位である接続パッド１０３、電極パッド１１２、ワイヤ１１０を保護している。
【００２３】
ここで、ワイヤ１１０、配線基板１００、半導体チップ１０９の配置形状について説明する。
【００２４】
前述のように半導体チップ１０９は平面形状が四角形であり、図１に示すように辺１１６ａ（第１の辺）、１１６ｂ、１１６ｃ（第２の辺）、１１６ｄを有している。
【００２５】
また、配線基板１００も平面形状が四角形であり、図１に示すように辺１１４ａ（第３の辺）、１１４ｂ、１１４ｃ（第４の辺）、１１４ｄを有している。
【００２６】
電極パッド１１２は辺１１６ａ、１１６ｂ、１１６ｃ、１１６ｄに沿って設けられており、接続パッド１０３も辺１１４ａ、１１４ｂ、１１４ｃ、１１４ｄに沿って設けられている。
【００２７】
ワイヤ１１０は辺１１６ａ、１１６ｂ、１１６ｃ、１１６ｄを跨ぐようにして設けられている。
【００２８】
ここで、互いに対向する辺１１６ａ、１１６ｃをそれぞれ跨ぐように設けられた第１のワイヤ群１２０と第２のワイヤ群１１８を見ると、第２のワイヤ群１１８の方が第１のワイヤ群１２０よりもワイヤ長が短くなっている。
【００２９】
詳細は後述するが、このように対向する辺を跨ぐワイヤの一方を他方よりも短くし、封止体４０１を形成する際に、ワイヤ長の長い方から短い方に向けて樹脂を注入することにより、注入された樹脂によるワイヤ流れやワイヤショートを防止できる。
【００３０】
一方、半導体チップ１０９は、辺１１４ａ、１１４ｂ、１１４ｃ、１１４ｄが、配線基板１００の辺１１６ａ、１１６ｂ、１１６ｃ、１１６ｄにそれぞれ対応するように設けられているが、辺１１４ｃと辺１１６ｃの最短距離１２２の方が、辺１１４ａと辺１１６ａの最短距離１２４よりも短くなるように配置されている。
【００３１】
半導体チップ１０９をこのような位置に配置することにより、第２のワイヤ群１１８の方が第１のワイヤ群１２０よりもワイヤ長が短くなるように配線できる。 
以上が半導体装置７００の構造の概略である。
【００３２】
次に、半導体装置７００の製造方法について、図１〜図１５を参照して説明する。
【００３３】
最初に、図３および図４に示すような配線基板１００を準備する。 
図３および図４に示すように、配線基板１００は、例えば０．２ｍｍ厚のガラスエポキシ配線基板であり、図３に示すようにマトリックス状に配置された複数の製品形成部１０１を有している。マトリックス状に配置された複数の製品形成部１０１は、例えば４×４で１６個の２つのエリア１０２ａ、１０２ｂをそれぞれ構成している。複数の製品形成部１０１は、それぞれ図１、図２に示す半導体装置７００の１個分の配線基板１００に相当する部分であり、前述した接続パッド１０３、ランド１０４、内部配線１０５（図３および図４では図示せず）等が形成されている。
【００３４】
また、製品形成部１０１がマトリックス状に配置されたエリア１０２ａ、１０２ｂの周囲には枠部１０６が配置されている。枠部１０６には所定の間隔で位置決め孔１０７が設けられ、搬送・位置決めが可能に構成されている。また、製品形成部１０１間はダイシングライン１０８となる。
【００３５】
次に、配線基板１００上に半導体チップ１０９を配置する。
【００３６】
具体的には、まず、配線基板１００を、接続パッド１０３が上になるように図示しないダイボンディング装置に載置する。
【００３７】
配線基板１００の載置が完了すると、図示しないダイボンディング装置を用いて接着部７０１の上に半導体チップ１０９を載置したのち、加熱等により接着部７０１を硬化させてダイボンディングを完了する。
【００３８】
なお、半導体チップ１０９を載置する際は、図１に示すように、辺１１４ｃと辺１１６ｃの最短距離１２２の方が、辺１１４ａと辺１１６ａの最短距離１２４よりも短くなるような位置に半導体チップ１０９を載置する。
【００３９】
半導体チップ１０９の載置が完了すると、配線基板１００を図示しないワイヤボンディング装置に載置する。
【００４０】
配線基板１００の載置が完了すると、図示しないワイヤボンディング装置により、ワイヤ１１０の一端を電極パッド１１２（図１参照）に超音波熱圧着により接続し、その後、所定のループ形状を描きながら他端を接続パッド１０３上に超音波熱圧着により接続する（図５、図６参照）。
【００４１】
この際、第２のワイヤ群１１８の方が第１のワイヤ群１２０よりもワイヤ長が短くなるようにワイヤ１１０を接続する（図１、図２参照）。
【００４２】
次に、半導体チップ１０９を載置した配線基板１００を成型装置３００に載置する。
【００４３】
成型装置３００は、図７に示すように、上型３０１と下型３０２からなる成形金型を有している。上型３０１の下型３０２との対向面にはキャビティ３０３が形成されており、下型３０２の上型３０１との対向面には配線基板１００を搭載する凹部３０４が形成されている。
【００４４】
ワイヤボンディングの完了した配線基板１００（図５参照）は、図８に示すように、下型３０２の凹部３０４（図７参照）にセットされる。
【００４５】
この際、第２のワイヤ群１１８がエアベント３１２側に、第１のワイヤ群１２０がゲート３０５側を向くように配線基板１００をセットする。
【００４６】
次に、図８に示すように、上型３０１と下型３０２で配線基板１００を型閉めする。本実施形態では、ＭＡＰ方式で構成されているため、キャビティ３０３は複数の製品形成部１０１を一括で覆う大きさで構成されている。また、本実施形態ではキャビティ３０３はエリア１０２ａ、１０２ｂに対応するように２つに分割して配置されている。次に、下型３０２のポットにタブレット３０６（レジンタブレット）が供給され、加熱溶融される。
【００４７】
次に、図９に示すように、溶融された封止樹脂３０７をプランジャー３０８によりゲート３０５からキャビティ３０３（図８参照）内に注入する。
【００４８】
この際、溶融された封止樹脂３０７は、第１のワイヤ群１２０側から第２のワイヤ群１１８側、即ちワイヤ長の長い方から短い方に向けて樹脂が注入されるため、注入された樹脂によるワイヤ流れやワイヤショートを防止できる。
【００４９】
なお、封止樹脂３０７の注入時には、ゲート３０５側のワイヤ１１０は左右に広がるように樹脂が充填されるため、ゲート３０５側にワイヤ長が長い方のワイヤ群を配置しても、ワイヤショートを生じることなく、ゲート３０５から封止樹脂３０７を注入できる。
【００５０】
キャビティ３０３内に封止樹脂３０７を充填した後、所定の温度、例えば１８０℃でキュアすると、封止樹脂３０７が硬化され、封止体４０１（図２参照）が形成される。
【００５１】
その後、成型装置３００（成型金型）から、配線基板１００を取り出し、所定の温度、例えば２４０℃でリフローすることで封止体４０１が完全に硬化される。
【００５２】
このようにして、図１０及び図１１に示すような、配線基板１００の製品形成部１０１の２つのエリア１０２ａ、１０２ｂ（図３参照）に、２つの封止体４０１ａ、４０１ｂが形成された半導体装置の中間構造体４００が形成される。また、中間構造体４００の封止体４０１ａ、４０１ｂに接続されたゲート３０５とランナー３０９及びカル３１０の封止樹脂３０７は除去される。
【００５３】
次に、図１２及び図１３に示すように、配線基板１００のランド１０４上に、半田ボール５００を搭載し、外部端子となるバンプ電極を形成する。
【００５４】
具体的には、配線基板１００上のランド１０４の配置に合わせて複数の吸着孔が形成された図示しない吸着機構を用いて、半田ボール５００を吸着孔に保持し、保持された半田ボール５００を、フラックスを介して配線基板１００のランド１０４に一括搭載する。
【００５５】
全ての製品形成部１０１への半田ボール５００の搭載後、配線基板１００をリフローすることでバンプ電極（外部端子）が形成される。
【００５６】
次に、半田ボール５００の搭載された配線基板１００を図示しない基板ダイシング装置に載置する。
【００５７】
配線基板１００の載置が完了すると、図１４及び図１５に示すように、配線基板１００をダイシングライン１０８（図３参照）で切断し、製品形成部１０１毎に分離する（製品形成部１０１は図３参照）。具体的には、配線基板１００の封止体４０１ａ、４０１ｂ側をダイシングテープ６００に図示しない接着層を介して接着し、ダイシングテープ６００によって配線基板１００を支持する。その後、配線基板１００を図示しないダイシング装置のダイシングブレードにより縦横にダイシングライン１０８を切断して製品形成部１０１毎に切断分離する。切断分離後、切断分離された個々の製品形成部１０１をダイシングテープ６００からピックアップすることで、図１および図２に示すような半導体装置７００が得られる。
【００５８】
このように、第１の実施形態によれば、半導体装置７００は半導体チップ１０９の互いに対向する辺１１６ａ、１１６ｃをそれぞれ跨ぐように設けられた第１のワイヤ群１２０と第２のワイヤ群１１８を有し、第２のワイヤ群１１８の方が第１のワイヤ群１２０よりもワイヤ長が短くなるように構成されており、製造の際は、第１のワイヤ群１２０側から第２のワイヤ群１１８側に向けて封止樹脂３０７を注入して封止体４０１を形成する。
【００５９】
そのため、封止樹脂３０７の注入時に、エアベント３１２側での封止樹脂３０７の巻き込みにより封止樹脂３０７の流速が早くなっても、ワイヤ流れ及びワイヤショートの発生を防止できる。
【００６０】
次に、第２の実施形態について図１６および図１７を参照して説明する。
【００６１】
第２の実施形態は第１の実施形態において、複数の半導体チップを配線基板上に搭載して半導体チップ群８００ａを構成したものである。
【００６２】
なお、第２の実施形態においては、第１の実施形態と同様の機能を果たす要素については同一の番号を付し、主に第１の実施形態と異なる部分について説明する。
【００６３】
図１６および図１７に示すように、半導体装置７００ａは、配線基板１００上に下側半導体チップ１０９ａが搭載されている。
【００６４】
配線基板１００は辺１１４ａと辺１１４ｃに沿ってそれぞれ配置された接続パッド１６７ａ、１６７ｃを有している。
【００６５】
配線基板１００はさらに、辺１１４ａと辺１１４ｃに沿うようにして、かつ接続パッド１６７ａ、１６７ｃよりも外周側に配置された接続パッド１６９ａ、１６９ｃを有している。
【００６６】
下側半導体チップ１０９ａは平面形状が四角形であり、辺１３１ａ〜１３１ｄを有している。
【００６７】
一方、下側半導体チップ１０９ａは、辺１３１ａ、１３１ｃに沿うようにそれぞれ電極パッド１７３ａ、１７３ｃが設けられており、電極パッド１７３ａ、１７３ｃはワイヤ１１０ａでそれぞれ接続パッド１６７ａ、１６７ｃと接続されている。
【００６８】
下側半導体チップ１０９ａにはＤＡＦ等の接着部７０１を介して上側半導体チップ１０９ｂが積層配置されており、下側半導体チップ１０９ａと上側半導体チップ１０９ｂで半導体チップ群８００ａを構成している。
【００６９】
上側半導体チップ１０９ｂは、下側半導体チップ１００ａより小さいチップサイズで構成されており、下側半導体チップ１００ａの電極パッド１７３ａ、１７３ｃが露出されるように、下側半導体チップ１０９ａ上に上側半導体チップ１０９ｂが配置される。
【００７０】
上側半導体チップ１０９ｂも平面形状が四角形であり、辺１３３ａ〜１３３ｄは、それぞれ下側半導体チップ１００ａの辺１３１ａ〜１３１ｄと対応するように設けられている。
【００７１】
また、上側半導体チップ１０９ｂは、辺１３３ａ（第１の辺）および辺１３３ｃ（第２の辺）に沿ってそれぞれ電極パッド１７１ａ、１７１ｃが設けられている。
【００７２】
電極パッド１７１ａ、１７１ｃは、電極パッド１７１ａの配置間隔１５３よりも、電極パッド１７１ｃの配置間隔１５１の方が広くなるように設けられている。
【００７３】
電極パッド１７１ａと接続パッド１６９ａは第１のワイヤ群１３５で接続されており、電極パッド１７１ｃと接続パッド１６９ｃは第２のワイヤ群１３７で接続されている。そのため、第２のワイヤ群１３７のワイヤ間隔の方が、第１のワイヤ群１３５のワイヤ間隔よりも広くなっている。
【００７４】
このように、電極パッド１７１ａの配置間隔１５３よりも、電極パッド１７１ｃの配置間隔１５１の方が広くなるように構成することにより、第１のワイヤ群１３５のワイヤ間隔よりも第２のワイヤ群１３７のワイヤ間隔が広くなり、よりワイヤショートが生じにくくなる。
【００７５】
また、上側半導体チップ１０９ｂは、辺１３３ｃと配線基板１００の辺１１４ｃの最短距離１２２ｂの方が、辺１３３ａと辺１１４ａの最短距離１２４ｂよりも短くなるように配置されている。また、辺１３３ｃと下側半導体チップ１０９ａの辺１３１ｃの最短距離１２２ａの方が、辺１３３ａと辺１３１ａの最短距離１２４ａよりも短くなるように配置されている。
【００７６】
このように構成することにより、第１の実施形態と同様に、第１のワイヤ群１３５よりも第２のワイヤ群１３７の方がワイヤ長を短くできる。
【００７７】
一方、下側半導体チップ１０９ａのワイヤ１１０ａは、上側半導体チップ１０９ｂのワイヤ１１０ｂと比べてワイヤ長が短くなっており、上側半導体チップ１０９ｂのワイヤ１１０ａと比べてワイヤショートのリスクが小さいため、ワイヤ長は等長となるように構成している。
【００７８】
第２の実施形態においては、封止樹脂３０７の注入の際は、ワイヤショートのリスクが影響の大きい上側半導体チップ１０９ｂのワイヤ１１０ｂの配置を考慮して、封止樹脂３０７の注入方向が選定される。
【００７９】
具体的には、封止樹脂３０７の注入の際は、第２のワイヤ群１３７がエアベント３１２側を、第１のワイヤ群１３５がゲート３０５側をそれぞれ向くように成型装置３００にセットされ、第１のワイヤ群１３５側から第２のワイヤ群１３７側に向けて封止樹脂３０７が注入される。
【００８０】
このように、複数の半導体チップを搭載したＭＣＰ（Multi Chip Package）型の半導体装置７００ａであっても、第１の実施形態と同様に、半導体装置７００ａは大型化することなく、封止樹脂３０７の注入時に、エアベント３１２側での封止樹脂３０７の巻き込みにより封止樹脂３０７の流速が早くなっても、ワイヤ流れ及びワイヤショートの発生を低減できる。
【００８１】
また封止樹脂３０７の注入時に、ゲート３０５側のワイヤは左右に広がるように封止樹脂３０７が充填されるため、第１の実施形態と同様に、ゲート３０５側にワイヤ長が長い方のワイヤ群である第１のワイヤ群１３５を配置することで、ゲート３０５側が長いワイヤであってもワイヤショートすることなく、ゲート３０５から封止樹脂３０７を注入できる。
【００８２】
このように、第２の実施形態によれば、半導体装置７００ａは上側半導体チップ１０９ｂの互いに対向する辺１３３ａ、１３３ｃをそれぞれ跨ぐように設けられた第１のワイヤ群１３５と第２のワイヤ群１３７を有し、第２のワイヤ群１３７の方が第１のワイヤ群１３５よりもワイヤ長が短くなるように構成され、製造の際は、第１のワイヤ群１３５側から第２のワイヤ群１３７側に向けて封止樹脂３０７を注入して封止体４０１を形成する。
従って、第１の実施形態と同様の効果を奏する。
【００８３】
また、第２の実施形態によれば、半導体装置７００ａは配線基板１００上に下側半導体チップ１０９ａと上側半導体チップ１０９ｂが積層されており、下側半導体チップ１０９ａと上側半導体チップ１０９ｂで半導体チップ群８００ａを構成している。
そのため、第２の実施形態は、ＭＣＰ型の半導体装置に適用できる。
【００８４】
さらに、第２の実施形態によれば、電極パッド１７１ａの配置間隔１５３よりも、電極パッド１７１ｃの配置間隔１５１の方が広くなるように構成することにより、第１のワイヤ群１３５の配置間隔よりも第２のワイヤ群１３７の配置間隔が広くなっている。 
そのため、第１の実施形態と比べてよりワイヤショートの発生を低減することができる。
【００８５】
次に、第３の実施形態に係る半導体装置７００ｂについて、図１８および図１９を参照して説明する。
【００８６】
第３の実施形態は、第１の実施形態において、第１のワイヤ群１２０を構成するワイヤ１１０よりも第２のワイヤ群１１８を構成するワイヤ１１０ｃの線径を大きくしたものである。
【００８７】
なお、第３の実施形態において、第１の実施形態と同様の機能を果たす要素には同一の番号を付し、説明を省略する。
【００８８】
図１８および図１９に示すように、半導体装置７００ｂは、第１のワイヤ群１２０を構成するワイヤ１１０よりも第２のワイヤ群１１８を構成するワイヤ１１０ｃの線径が大きくなっている。即ち、ワイヤ１１０ｃとして、ワイヤ１１０よりも線径が大きいワイヤを用いている。
【００８９】
このように構成することで、ワイヤ１１０とワイヤ１１０ｃの線径を同一にする場合と比べて、よりワイヤショートの発生を低減することができる。
【００９０】
このように、第３の実施形態によれば、半導体装置７００ｂは半導体チップ１０９の互いに対向する辺１１６ａ、１１６ｃをそれぞれ跨ぐように設けられた第１のワイヤ群１２０と第２のワイヤ群１１８を有し、第２のワイヤ群１１８の方が第１のワイヤ群１２０よりもワイヤ長が短くなるように構成され、製造の際は、第１のワイヤ群１２０側から第２のワイヤ群１１８側に向けて封止樹脂３０７を注入して封止体４０１を形成する。 
従って、第１の実施形態と同様の効果を奏する。
【００９１】
また、第３の実施形態によれば、半導体装置７００ｂは、第１のワイヤ群１２０を構成するワイヤ１１０よりも第２のワイヤ群１１８を構成するワイヤ１１０ｃの線径が大きい。 
そのため、第１の実施形態と比べて、よりワイヤショートの発生を低減することができる。
【００９２】
次に、第４の実施形態に係る半導体装置７００ｃについて、図２０および図２１を参照して説明する。
【００９３】
第４の実施形態は、第２の実施形態において、上側半導体チップ１０９ｂの一辺のみにワイヤを設けたものである。
【００９４】
なお、第４の実施形態において、第２の実施形態と同一の機能を果たす要素については同一の番号を付し、説明を省略する。
【００９５】
図２０および図２１に示すように、半導体装置７００ｃの上側半導体チップ１０９ｂは、辺１３３ａ〜１３３ｄのうち、辺１３３ａのみに沿うように電極パッド１７１ａが設けられており、電極パッド１７１ａからは、ワイヤ１３９が辺１３３ａのみを跨ぐようにして設けられている。
【００９６】
一方、配線基板１００は辺１１４ａ〜１１４ｄに沿って設けられた接続パッド１０３と、接続パッド１０３よりも外周側に設けられ、かつ辺１１４ａにのみ沿って設けられた接続パッド１８１を有している。
【００９７】
接続パッド１０３は、ワイヤ１１０ａを介して下側半導体チップ１０９ａの電極パッド１１２と接続され、接続パッド１８１はワイヤ１３９を介して電極パッド１７１ａと接続される。
【００９８】
このように、上側半導体チップ１０９ｂのワイヤ１３９は一辺のみに設けてもよい。
【００９９】
なお、この場合、ワイヤ１３９が第１のワイヤ群に相当し、下側半導体チップ１０９ａに設けられたワイヤ１１０ａのうち、辺１３１ｃ（辺１３３ｃを挟んで辺１３３ａに対向する辺）を跨ぐように設けられたワイヤが第２のワイヤ群に相当する。
【０１００】
この場合、半導体装置７００ｃは、ワイヤ１３９（辺１３３ａ）をゲート３０５側に、辺１３１ｃをエアベント３１２側に向けて成型装置３００に配置し、ワイヤ１３９側から辺１３１ｃ側に向けて封止樹脂３０７を注入することにより封止体４０１が形成される。
【０１０１】
このように、第４の実施形態によれば、半導体装置７００ｃは上側半導体チップ１０９ｂの辺１３３ａを跨ぐように設けられたワイヤ１３９を有し、製造の際は、ワイヤ１３９側から封止樹脂３０７を注入して封止体４０１を形成する。 
そのため、第１の実施形態と同様の効果を奏する。
【０１０２】
また、第４の実施形態によれば、半導体装置７００ｃは、ワイヤ１３９を一辺のみに設けている。 
そのため、第２の実施形態と同等以上の効果を奏する。
【産業上の利用可能性】
【０１０３】
以上、本発明者によってなされた発明を実施形態に基づき説明したが、本発明は上記実施形態に限定されるものではなく、その要旨を逸脱しない範囲で種々変更可能であることは言うまでもない。
【０１０４】
例えば本実施形態では、配線基板に１つ、或いは２つの半導体チップを搭載した半導体装置に適用した場合について説明したが、三段以上に半導体チップを積層搭載した半導体装置等、ワイヤ長の異なる製品であればどのような半導体装置に適用しても良い。
【０１０５】
また本実施形態では、ガラスエポキシ基材からなる配線基板を用いた場合について説明したが、配線基板としてはセラミック基板を用いても良いし、あるいはポリイミド基材等のフレキシブルな配線基板を用いても良い。
【符号の説明】
【０１０６】
１００………配線基板
１０１………製品形成部
１０３………接続パッド
１０４………ランド
１０６………枠部
１０７………位置決め孔
１０９………半導体チップ
１１０………ワイヤ
１１２………電極パッド
１１４ａ……辺
１１６ａ……辺
１１８………第２のワイヤ群
１２０………第１のワイヤ群
１２２………最短距離
１２４………最短距離
３００………成型装置
３０１………上型
３０２………下型
３０３………キャビティ
３０４………凹部
５００………半田ボール
７００………半導体装置
【図１】
2011228603.tif 000003
【図２】
2011228603.tif 000004
【図３】
2011228603.tif 000005
【図４】
2011228603.tif 000006
【図５】
2011228603.tif 000007
【図６】
2011228603.tif 000008
【図７】
2011228603.tif 000009
【図８】
2011228603.tif 000010
【図９】
2011228603.tif 000011
【図１０】
2011228603.tif 000012
【図１１】
2011228603.tif 000013
【図１２】
2011228603.tif 000014
【図１３】
2011228603.tif 000015
【図１４】
2011228603.tif 000016
【図１５】
2011228603.tif 000017
【図１６】
2011228603.tif 000018
【図１７】
2011228603.tif 000019
【図１８】
2011228603.tif 000020
【図１９】
2011228603.tif 000021
【図２０】
2011228603.tif 000022
【図２１】
2011228603.tif 000023